(57)【要約】【課題】顧客から盗んだ印影から作った印鑑で、第３者が顧客になりすまして取引を行うことを防止するための手段を提供する。【解決手段】窓口端末３と口座情報データベースサーバ２とからなり、通常の印影と透かし印影との透かし付き印影を登録印影と登録透かし印影とに区別して顧客の識別子に関連づけて口座情報データベースサーバ２に登録し、窓口端末３は取引時に顧客の伝票のイメージデータから透かし付き印影を取得すると共に、その取得した透かし付き印影を通常の印影と透かし印影とに区別し、かつ顧客の識別子をもとに口座情報データベースサーバから登録印影と登録透かし印影を取得して、登録印影と印影及び登録透かし印影と透かし印影を重ね合わせて表示することを特徴とする。【選択図】図１
2009110095.tif 000002
【特許請求の範囲】
【請求項１】
顧客の伝票のイメージデータから印鑑の印影を取得する端末と、顧客が登録した印鑑の登録印影を顧客の識別子に関連づけて格納する上位装置とからなる印鑑照合システムであって、
通常の印影と特定光の照射によって視認可能となる透かし印影とからなる透かし付き印影を前記通常の印影と前記透かし印影とに区別して顧客の識別子に関連づけて前記上位装置に登録し、
前記端末は、顧客の取引時に顧客の伝票のイメージデータから透かし付き印影を取得すると共に、その取得した透かし付き印影を通常の印影と透かし印影とに区別し、かつ前記
顧客の識別子をもとに前記上位装置から登録されている前記通常の印影と前記透かし印影を取得して、印影の一致の有無を判断することを特徴とする印鑑照合システム。
【請求項２】
請求項１に記載の印鑑照合システムにおいて、
前記端末は、前記通常の印影同士が不一致で、前記透かし印影同士が一致しているときは照合可能として照合判定を行うことを特徴とする印鑑照合システム。
【請求項３】
請求項１に記載の印鑑照合システムにおいて、
前記端末は、印影の一致の有無を判断するときに、前記通常の印影同士及び透かし印影同士を重ね合わせて表示することを特徴とする印鑑照合システム。
【請求項４】
通常の印影を押印する押印面を有する印鑑であって、
特定光の照射によって視認可能となる透かし印影を押印し、前記押印面よりも埋没する位置から前記押印面と同一面まで移動可能な透かし押印面を備えたことを特徴とする印鑑。
【発明の詳細な説明】
【技術分野】
【０００１】
本発明は、金融機関に顧客が登録した印鑑の印影を照合する印影照合システムに関する。
【背景技術】
【０００２】
従来の印影照合システムは、金融機関の窓口での出金取引等で用いられており、取引依頼伝票に押印された印鑑の印影を印影データとして読み取り、事前に登録されている登録印影データを登録印影サーバから読み出してその登録印影データと読み取った印影データとを重ね合わせることで、印影の照合処理を行っている（例えば、特許文献１参照。）。
【特許文献１】特開２００１−２５６３４７号公報（段落「００１６」−段落「００１７」、第４図）
【発明の開示】
【発明が解決しようとする課題】
【０００３】
しかしながら、上述した従来の技術においては、顧客が取引依頼伝票に押印した印影が第３者によって読み取られてしまい、その第３者が読み取った印影と同じ印影の別の印鑑を作ったとき、その印鑑を悪用して顧客になりすまして各種の取引を行ってもそれを見破ることができないという問題がある。
本発明は、上記の問題点を解決するための手段を提供することを目的とする。
【課題を解決するための手段】
【０００４】
本発明は、上記課題を解決するために、顧客の伝票のイメージデータから印鑑の印影を取得する端末と、顧客が登録した印鑑の登録印影を顧客の識別子に関連づけて格納する上位装置とからなる印鑑照合システムであって、通常の印影と特定光の照射によって視認可能となる透かし印影とからなる透かし付き印影を前記通常の印影と前記透かし印影とに区別して顧客の識別子に関連づけて前記上位装置に登録し、前記端末は、顧客の取引時に顧客の伝票のイメージデータから透かし付き印影を取得すると共に、その取得した透かし付き印影を通常の印影と透かし印影とに区別し、かつ前記顧客の識別子をもとに前記上位装置から登録されている前記通常の印影と前記透かし印影を取得して、前記通常の印影同士及び透かし印影同士を重ね合わせて表示することを特徴とする。
【発明の効果】
【０００５】
これにより、本発明は、第３者が顧客の印影を盗み、その印影をもとに別の印鑑を作ろうとしても、透かし部分は目で確認できない事により、透かし印影の部分は作れないために同一の印影および透かし印影の印鑑は作れないので、そのような第３者による顧客のなりすましを防止することができるという効果が得られる。
【発明を実施するための最良の形態】
【０００６】
以下に、図面を参照して本発明による印影照合システムの実施例について説明する。
【実施例１】
【０００７】
図１は実施例１の窓口端末を用いて構成した印影照合システムを示すブロック図である。
図１において、１は印影照合システムである。
２は口座情報データベースサーバ（上位装置）であり、銀行等の金融機関のセンタに設置され、顧客の口座番号や口座を開設した店舗の店番号、口座番号、科目コード等の口座情報に、顧客が金融機関に登録した印鑑の印影（登録印影情報という。）を関連づけて格納した口座情報データベース２ａを有する。
【０００８】
この登録印影情報には、後述する印鑑１５による朱肉等による通常の印影と後述する透かし印影とからなる透かし付き印影をもとに、その印影の印影イメージと、透かし印影の透かし印影イメージとに区別したものが含まれている。
３は窓口端末であり、店舗の窓口に設置されて口座情報データベースサーバ２とＬＡＮ４を介して接続しており、窓口係員の操作により顧客との窓口取引処理を行う。
【０００９】
５は窓口端末３の窓口制御部であり、窓口記憶部６が格納する制御プログラムに従って各部を制御し、窓口での取引処理を遂行する他、ＬＡＮ４を介して口座情報データベースサーバ２と接続してデータ通信を行う機能を有する。
６は窓口記憶部であり、窓口制御部５が実行する制御プログラムやそれに用いる各種のデータが格納される。
【００１０】
７は窓口表示部であり、ＬＣＤ等の表示画面を有し、ＬＡＮ４を介して送信される顧客の個人情報や顧客確認方法等を表示する。
８は窓口入力部であり、キーボードやマウス等を備えており、窓口係員が窓口取引のための入力に使用する。
９はスキャナ部であり、顧客が記入した伝票から顧客による記入内容や印鑑の印影等のイメージデータを読み取る機能を有する。
【００１１】
ここで、図２は窓口端末を示す説明図である。
スキャナ部９は、図２に示すように押印された取引依頼の伝票を載せることでその伝票の画像データ（イメージデータ）を読み取る読取面として機能するガラス板９ａと、そのガラス板９ａに上方から光を照らす照明部９ｂとからなり、その照明部９ｂは印鑑１５による透かし印影が視認可能な状態で明確に現れるようにするための特定光を照射する機能を備えている。
【００１２】
図３は本発明で用いる印鑑の透かし印影を押印する構造を示す説明図であり、（ａ）は横断面図を示し、（ｂ）は斜方向から見た様子を示している。
図３（ａ）において、１５は印鑑であり、押印するときに通常の印影と共に紫外線等の特定光の照射によって視認可能となる透かし印影を押印する機能を有する。
１６は透かし印影部であり、印鑑の軸部１７に埋め込むと共に一部を軸部１７から突出させた押し込み部１８と、印鑑を押印する面（以下、押印面１５ａとする。）に対する直交方向に移動可能な透かし押印部１９とによって構成される。
【００１３】
押し込み部１８は、透かし押印部１９に対して押印面１５ａの反対側で対向するように位置し、押印面１５ａ側に突出する突起部１８ａを備えると共に図３（ａ）に示す上下方向への付勢力が作用するバネ材１８ｂが取り付けられる。
バネ材１８ｂによって突起部１８ａは、透かし押印部１９から退避した位置にあり、押し込み部１８が軸部１７内に押しこまれバネ材１８ｂが撓んだとき、突起部１８ａは透かし押印部１９を押印面１５ａ側に押出すように機能する。
【００１４】
透かし押印部１９には、図３（ａ）に示す左右方向に付勢力を作用するバネ材１９ｂが取り付けられることで、特定光に照らされることで視認可能となるＵＶ塗料等のインクに漬された透かし押印面１９ａが図３（ｂ）に示すように前記押印面１５ａよりも軸部１７側に埋没するようになっている。
そして透かし押印部１９は、軸部１７内に押し込まれた押し込み部１８の突起部１８ａによって押圧されたとき、突起部１８ａが傾斜面１９ｃをすべり、バネ材１９ｂが伸びることで、透かし押印面１９ａが押印面１５ａと同一面となる位置まで押し出される構造となっている。
【００１５】
ここで、図４は本実施例における印鑑を押印したときの印影を示す説明図である。
押印面に朱肉をあてた後、顧客が押し込み部１８を押し込んで透かし印面が押印面と同一面まで押し出した状態で伝票等に押印したときは、図４に示すように押印面の朱印による印影と共に、その上部に透かし印影が現れるようになっている。
なお、上記の窓口制御部５は、スキャナ部９で読み取った伝票のイメージデータから印影に該当する箇所を印影イメージとして抽出すると共に、その印影イメージから発光インクによる透かし印影イメージを切り出して、残った印影イメージと切り出した透かし印影イメージとで印影情報を構成する機能を有する。
【００１６】
上述した構成の作用について、図５に示す印影照合システムの印影照合処理を示すフローチャートを用い、Ｓで示すステップに従って説明する。
なお、本実施例では出金取引を行う場合で説明するものとし、まず顧客は出金取引の伝票に口座を開設した金融機関名と支店名、口座種類、口座番号、氏名等の記入口座情報や、取引金額等の必要事項を記入して印鑑を押印し、窓口にいる係員に渡すようにしている。
【００１７】
Ｓ１、窓口端末３の窓口制御部５は、窓口の係員が窓口入力部８によって出金取引を実行するための入力操作が行われると、顧客の店番号と口座番号の入力や出金取引の伝票をスキャナ部９へのセットを促す画面を窓口表示部７に表示する。
係員は表示された画面に従い、伝票に記入された店番号と口座番号を入力し、スキャナ部９に伝票をセットする。
【００１８】
Ｓ２、窓口制御部５は、入力された店番号と口座番号を窓口記憶部６に記憶すると共に、スキャナ部９によって伝票の画像データを取得し、その画像データを窓口記憶部６に記憶する。
また窓口制御部５は、伝票の印鑑が押印された箇所をもとに画像データから印影全体のイメージデータを抽出して、印影全体のイメージデータ中から透かし印影を切り出して印影イメージと透かし印影イメージとに分け、それらを印影情報として窓口記憶部６に記憶しておくものとする。
【００１９】
Ｓ３、窓口制御部５は、記憶した店番号と口座番号を読み出し、その店番号と口座番号を付した口座情報取得依頼をＬＡＮ４を介して口座情報データベースサーバ２に送信する。
Ｓ４、口座情報データベースサーバ２は、受信した店番号と口座情報を基に口座情報データベース２ａを検索し、該当する口座情報から登録印影情報を読み出してその登録印影情報をＬＡＮ４を介して窓口端末３に送信する。
【００２０】
図６は印影照合画面を示す説明図である。
Ｓ５、窓口制御部５は、窓口記憶部６から伝票の画像データと印影情報を読み出し、図６に示すように伝票の画像データ中の記入口座情報を表示すると共に、受信した登録印影情報の登録印影イメージと読み出した印影情報の印影イメージとを並べると共に、登録印影イメージと印影イメージとを重ね合わせ、その一致の有無（ＯＫ／ＮＧ）を示す画像、さらに透かし情報として登録印影情報の登録透かし印影イメージと印影情報の透かし印影イメージとを並べると共に、登録透かし印影イメージと透かし印影イメージとを重ね合わせ、その一致の有無を示す画像等を配した印影照合画面を窓口表示部７に表示する。
【００２１】
図６では、重ね合わせの画面で一致の有無をＯＫまたはＮＧと表示している。
Ｓ６、係員が表示された印影照合画面から顧客が押印した印影の一致を確認し、窓口入力部８でその後の出金取引のための入力操作を行うと、窓口制御部５は出金取引処理を通常通りに実行する。
このようにして、本実施例では、印影イメージの一致の確認に加えて、透かし印影イメージの一致を確認する。
【００２２】
そのため例えば図７の透かし印影が一致しない場合の印影照合画面を示す説明図に示すように、押印された印鑑に透かし印影が含まれないために透かし印影イメージが不一致であるときは、例え印影イメージが一致していても印鑑不一致として、取引は中止とする。
また、図８の印影に汚れがある印影照合画面を示す説明図に示すように、伝票に押印された印影が汚れていたために、印影イメージの一致を判断できないような場合には、透かし印影イメージの一致の有無から判断するようにして、印鑑照合を行うようにしてもよい。
【００２３】
上述した実施例では、登録印影情報の登録印影イメージと読み出した印影情報の印影イメージとを並べると共に、登録印影イメージと印影イメージとを重ね合わせ、また透かし情報として登録印影情報の登録透かし印影イメージと印影情報の透かし印影イメージとを並べて、登録透かし印影イメージと透かし印影イメージとを重ね合わせて表示しているが、登録印影イメージと印影イメージのみを重ね合わせて表示し、登録透かし印影イメージと透かし印影イメージとの一致の有無を有無はＯＫまたはＮＧの表示のみ行うようにしてもよい。
【００２４】
また、登録印影イメージと印影イメージおよび登録透かし印影イメージと透かし印影イメージの重ね合わせの表示を別々に表示するのではなく、１つの画面で同時に重ねて表示するようにしてもよい。
以上説明したように、本実施例では、朱印等による印影イメージの確認と共に透かし印影を押印できる印鑑による透かし印影イメージの一致の有無を確認するので、印鑑照合の判定の信頼性、認証率が向上する。
【００２５】
また発光ライトに照らされたときに視認可能となる透かし印影を用いるので、第３者にとっては、朱印による印影を盗めても、透かし印影も押印できる同様の印鑑作ることが困難であるので、第３者による印影の偽造等を防止し、安全性が向上する。
さらに、印影イメージでの照合結果が不一致であっても透かし印影イメージの照合結果が一致していれば照合できたと判断するので、照合時間の短縮にも繋がる。
【００２６】
なお、上記実施例においては、押し込み部を印鑑の側面側に設けるようにして説明したが、押印面の反対側の端部に設けてもよい。
【図面の簡単な説明】
【００２７】
【図１】実施例１の窓口端末を用いて構成した印影照合システムを示すブロック図
【図２】窓口端末を示す説明図
【図３】本発明で用いる印鑑の透かし印影を押印する構造を示す説明図
【図４】本実施例における印鑑を押印したときの印影を示す説明図
【図５】印影照合システムの印影照合処理を示すフローチャート
【図６】印影照合画面を示す説明図
【図７】透かし印影が一致しない場合の印影照合画面を示す説明図
【図８】印影に汚れがある印影照合画面を示す説明図
【符号の説明】
【００２８】
１    印影照合システム
２    口座情報データベースサーバ
２ａ  口座情報データベース
３  窓口端末
４  ＬＡＮ
５  窓口制御部
６  窓口記憶部
７  窓口表示部
８  窓口入力部
９  スキャナ部
９ａ  ガラス板
９ｂ  照明部
１５  印鑑
１５ａ  押印面
１６  透かし印影部
１７  軸部
１８  押し込み部
１８ａ  突起部
１８ｂ、１９ｂ  バネ材
１９  透かし押印部
１９ａ  透かし押印面
１９ｃ  傾斜面
【図１】
2009110095.tif 000003
【図２】
2009110095.tif 000004
【図３】
2009110095.tif 000005
【図４】
2009110095.tif 000006
【図５】
2009110095.tif 000007
【図６】
2009110095.tif 000008
【図７】
2009110095.tif 000009
【図８】
2009110095.tif 000010